(57)【特許請求の範囲】
【請求項１】
本体部に保持される電解槽と、
前記電解槽の上部を被い、前記本体部に対して回動により開閉可能に取り付けられる蓋部材と、
前記蓋部材に上部が固定される棒状の第一の電極と、
一対の電極板からなり、前記蓋部材に前記電極板の上部がそれぞれ固定され、且つ前記電極板が前記第一の電極の周囲に配置される第二の電極と、
前記第一の電極及び前記第二の電極の外側を被う状態で配置される第三の電極と、
前記第一の電極に着脱自在に装着保持され、かつ当該第一の電極と密着し一部が接触する導電性のあるパイプ電極材と、を有し、
前記第二の電極の各電極材間に給電部から供給される交流を印加し、前記第一の電極及び前記第三の電極をそれぞれ接地電極とし、
前記蓋部材の裏面部に、電極部材として前記第一の電極、前記第二の電極、前記パイプ電極材及び前記第三の電極を取り付け、前記蓋部材を閉じた状態で、全ての前記電極部材を前記電解槽内の水中に配置して水の電気分解を行い、
前記蓋部材の開操作により、前記電極部材を前記電解槽から引き揚げ、この状態で前記本体部に対して前記蓋部材が保持され、前記パイプ電極材を前記第一の電極から脱着することが可能であることを特徴とする水素水生成装置。
【請求項２】
前記第二の電極の各電極板を、それぞれ網目が形成された板状に形成し、前記第一の電極の中心対称位置に配置したことを特徴とする請求項１に記載の水素水生成装置。
【請求項３】
前記第三の電極を、網目が形成された筒状に形成したことを特徴とする請求項１乃至２の何れかに記載の水素水生成装置。
【請求項４】
前記第三の電極に底面部を形成し、当該底面部の中央に挿通孔部を設け、
前記第三の電極の内部に、前記パイプ電極材を装着した前記第一の電極及び前記第二の電極を収納し、この状態で前記第一の電極の下端部を前記第三の電極の前記挿通孔部から突出させ、当該突出させた部位を止着具で止着し、当該第一の電極に、前記パイプ電極材及び第三の電極を保持させたことを特徴とする請求項１乃至３の何れかに記載の水素水生成装置。
【請求項５】
前記第一の電極の下端部にネジ部を設け、当該ネジ部を前記第三の電極の前記挿通孔部から突出させ、前記ネジ部にナット部材を螺着し、前記第一の電極に、前記パイプ電極材及び第三の電極を保持させたことを特徴とする請求項４に記載の水素水生成装置。
【請求項６】
前記第二の電極に、チタン材に白金メッキを施した材料を用い、前記第三の電極にステンレス網材を用いたことを特徴とする請求項１乃至５の何れかに記載の水素水生成装置。
【請求項７】
前記パイプ電極材及び第二の電極の下部側に、これら電極を保持する電極保持具を配置し、当該電極保持具にマグネシウム合金材を保持させたことを特徴とする請求項１乃至６の何れかに記載の水素水生成装置。
【発明の詳細な説明】
【技術分野】
【０００１】
本発明は、メンテナンス性を改善し、電気分解によりナノバブル水素水を生成する水素水生成装置に関する。
【背景技術】
【０００２】
例えば、特許文献１に記載の電解装置は、図７に示すように、電解槽１１０と、電解槽１１０に着脱可能に装着される本体部１１２と、電解槽１１０内に配置される電極部１１４と、電極部１１４に給電するための給電部１１６とを備え、給電部１１６は、本体部１１２に取り付けられ、本体部１１２から電解槽１１０の底面側へ延伸しており、電極部１１４は給電部１１６に着脱可能に取り付けられており、これにより電極部１１４の着脱作業を容易にするというものである。
【０００３】
特許文献２に記載の還元水素水生成装置は、電極ユニットを構成するシャフトの外側に、間隔をおいて、金属製電極網を一体にした金属製パイプを垂直方向に設け、このシャフトと金属製パイプとの間に、金属製板ばねを間隔をおいて設け、電極ユニットと金属製パイプとをシャフトから着脱自在に止着することにより、取り外しの複雑な手間を解消し、ミネラル等がシャフトに付着するのを解消するというものである。
【０００４】
また、特許文献３に記載の水素水生成器は、容器を陰極として、飲料水に浸漬された陽極と該容器との間に直流電源により直流電圧を印加して水素水を生成することにより、スケールは容器の内面に付着することになり、電気分解中に生成するスケールを取り除く作業が容易であるというものである。
【先行技術文献】
【特許文献】
【０００５】
【特許文献１】特開２０１７−５１９１８号公報
【特許文献２】特開２０１５−９８６３８号公報
【特許文献３】特許第６１６７３９１号公報
【発明の概要】
【発明が解決しようとする課題】
【０００６】
さて、前記特許文献１に係る電解装置は、電極部の着脱作業は容易であるが、複雑な電極部の掃除等の作業性に欠けるという問題がある。また、特許文献２の還元水素水生成装置は、金属製電極網を金属製パイプと一体とし、また金属製板バネ等を用いていることから、電極等の着脱作業或いは掃除が煩わしく、また特許文献３の水素水生成器は、スケールが容器全体に付着することから、容器の掃除等に手間取るという問題がある。
【０００７】
本発明は前記問題点に鑑みてなされたものであり、簡単な構成で電極の着脱が容易に行えて、電極の保守性に優れた水素水生成装置を提供することを目的とする。
【課題を解決するための手段】
【０００８】
以上の技術的課題を解決するため、本発明に係る水素水生成装置は図１等に示すように、本体部４に保持される電解槽６と、前記電解槽６の上部を被い、前記本体部４に対して回動により開閉可能に取り付けられる蓋部材８と、前記蓋部材８に上部が固定される棒状の第一の電極５０と、一対の電極板からなり、前記蓋部材８に前記電極板の上部がそれぞれ固定され、且つ前記電極板が前記第一の電極５０の周囲に配置される第二の電極５２と、前記第一の電極５０及び前記第二の電極５２の外側を被う状態で配置される第三の電極５４と、前記第一の電極５０に着脱自在に装着保持され、かつ当該第一の電極５０と密着し一部が接触する導電性のあるパイプ電極材５６と、を有し、前記第二の電極５２の各電極材間に給電部１４から供給される交流を印加し、前記第一の電極５０及び前記第三の電極５４をそれぞれ接地電極とし、前記蓋部材８の裏面部に、前記第一の電極５０、前記第二の電極５２、前記パイプ電極材５６及び前記第三の電極５４を取り付け、前記蓋部材８を閉じた状態で、全ての前記電極部材１０を前記電解槽６内の水中に配置して水の電気分解を行い、前記蓋部材８の開操作により、前記電極部材１０を前記電解槽６から引き揚げ、この状態で前記本体部４に対して前記蓋部材８が保持され、前記パイプ電極材５６を前記第一の電極５０から脱着することが可能である構成である。
【０００９】
本発明に係る水素水生成装置は、前記第二の電極５２の各電極板を、それぞれ網目が形成された板状に形成し、前記第一の電極５０の中心対称位置に配置した構成である。
【００１０】
本発明に係る水素水生成装置は、前記第三の電極５４を、網目が形成された筒状に形成した構成である。
【００１１】
本発明に係る水素水生成装置は、前記第三の電極５４に底面部７２を形成し、当該底面部７２の中央に挿通孔部７４を設け、前記第三の電極５４の内部に、前記パイプ電極材５６を装着した前記第一の電極５０及び前記第二の電極５２を収納し、この状態で前記第一の電極５０の下端部を前記第三の電極５４の前記挿通孔部７４から突出させ、当該突出させた部位を止着具９４で止着し、当該第一の電極５０に、前記パイプ電極材５６及び前記第三の電極５４を保持させた構成である。
【００１２】
本発明に係る水素水生成装置は、前記第一の電極５０の下端部にネジ部６４を設け、当該ネジ部６４を前記第三の電極５４の前記挿通孔部７４から突出させ、前記ネジ部６４にナット部材９４を螺着し、前記第一の電極５０に、前記パイプ電極材５６及び第三の電極５４を保持させた構成である。
【００１３】
本発明に係る水素水生成装置は、前記第二の電極５２に、チタン材に白金メッキを施した材料を用い、前記第三の電極５４にステンレス網材を用いた構成である。
【００１４】
本発明に係る水素水生成装置は、前記パイプ電極材５６及び第二の電極５２の下部側に、これら電極を保持する電極保持具８４を配置し、当該電極保持具８４にマグネシウム合金材を保持させた構成である。
【発明の効果】
【００１５】
本発明に係る水素水生成装置によれば、第一の電極及び第三の電極をそれぞれ接地電極とし、第二の電極の各電極材間に給電部から供給される交流を印加し、蓋部材の裏面部に、第一の電極、第二の電極、パイプ電極材及び第三の電極を取り付け、蓋部材を閉じた状態で、全ての電極を電解槽内の水中に配置して水の電気分解を行い、蓋部材の開操作により、各電極を電解槽から引き揚げ、この状態で本体部に対して蓋部材を保持し、パイプ電極材を第一の電極から脱着可能な構成としたから、簡単な構成でメンテナンスの必要なパイプ電極材等の着脱が容易に行え、また電極の掃除等も簡単に行えて保守性が改善され、管理が容易であるという効果を奏する。
【００１６】
本発明に係る水素水生成装置によれば、第三の電極の内部に、パイプ電極材を装着した第一の電極及び第二の電極を収納し、この状態で第一の電極の下端部を第三の電極の孔部から突出させ、突出させた部位を止着具で止着し、第一の電極に、パイプ電極材及び第三の電極を保持させた構成としたから、電極の着脱が容易で作業性に優れ、また電極の保守が容易に行えるという効果がある。
【００１７】
本発明に係る水素水生成装置は、第一の電極の下端部にネジ部を設け、ネジ部を第三の電極の孔部から突出させ、ネジ部にナット部材を螺着し、第一の電極に、パイプ電極材及び第三の電極を保持させた構成としたから、電極の着脱が手作業で簡単に行なえ電極の保守に寄与するという効果がある。
【図面の簡単な説明】
【００１８】
【図１】実施の形態に係る水素水生成装置の断面を示す図である。を示す図である。
【図２】実施の形態に係る水素水生成装置の電極部材等の分解斜視図である。
【図３】実施の形態に係り、電極保持具の斜視図（ａ）（ｂ）である。
【図４】実施の形態に係り、蓋部材を開いた状態を示す図であり、パイプ電極材、第三の電極を取り付ける前の状態を示す。
【図５】実施の形態に係り、蓋部材を開いた状態を示す図であり、パイプ電極材、第三の電極等全ての電極を取り付けた状態を示す。
【図６】実施の形態に係る水素水生成装置の外観を示す図であり、（ａ）は装置の正面、（ｂ）は電解槽、（ｃ）は装置の平面をそれぞれ示す。水素水生成装置の使用状態を示す図である。
【図７】従来例に係る電解装置を示す図である。
【発明を実施するための形態】
【００１９】
以下、本発明に係る水素水生成装置の実施の形態を説明する。
図１，６等に示すように、この実施の形態に係る水素水生成装置２は、全体が筒状で、本体部４、電解槽６、蓋部材８及び電極部材１０等を有する。
本体部４の内部には、制御部１２、給電部１４等が内蔵され、上側には電解槽６を載置可能な台部１６が形成されている。また本体部４の一部には上方に延長されたアーム部１８が形成され、アーム部１８の上部には連結部２０が設けられている。
【００２０】
電解槽６は、底部２２及び円筒状の筒部２４からなる容器であり、筒部２４の上部寄りの左右の箇所にはそれぞれ取っ手２６が設けられている。また、筒部２４の上端部には、外側に丸く屈曲形成された縁部２８が形成されている。電解槽６の下部近傍には、給水用のコック２７が取り付けられている。
【００２１】
電解槽６は、本体部４の台部１６に載置した状態で使用する。この台部１６の周囲部は、上方に環状に突出した環状保持部３０が形成され、これにより電解槽６が台部１６に安定して保持される。なお、電解槽６は円筒形状であり、内径は２２０ｍｍ程度、また高さは１７０ｍｍである。
【００２２】
このように、電解槽６は、本体部４とは独立しており、必要に応じて本体部４から外し、洗浄等のメンテナンスが行える。ここでは、電解槽６に充填可能な水量を最大５リットルとしている。
この水量は、家庭内、或いは施設内等において十分に消費量がまかなえ、また水素水生成装置の能力、重量及び設置場所等を考慮して定めたものである。他に、３リットル〜８リットル程度の水量をまかなうことも可能である。水量を増加した場合には、その分、電気分解に要する時間を増やすことで対処可能である。
【００２３】
蓋部材８は、全体が円盤状であり、周囲部の一部に形成された連結受部３４を介してアーム部１８と連結されている。蓋部材８の連結受部３４は、アーム部１８の上部の連結部２０と連結し、回動軸３２を中心に蓋部材８が回動自在（開閉自在）に構成されている。また蓋部材８の裏面部３６には、各種電極の取付部が形成されている。
蓋部材８の閉時には、蓋部材８の裏面部３６の周囲に配置された環状のシール部材が、電解槽６の上部の縁部２８と係合し、電解槽６の上部を密閉する。また同時に、蓋部材８に対するロック機能により、蓋部材８は閉状態を維持する。
【００２４】
また、蓋部材８は回動軸３２を中心に回動し、開閉することができる。蓋部材８を開いたときには、閉状態から９０度或いはそれ以上（例えば１２０度）の開角度の状態で、ストッパ４０により開移動が停止する。これと同時に、連結受部３４と連結部２０間に設けた保持機能、ロック機能等による停止状態の保持機能により、当該開角度で、蓋部材８の開操作に伴う停止状態が維持される。この蓋部材８の停止状態において、電極部材１０に係る各電極の脱着及び装着等の作業を行う。
【００２５】
蓋部材８の裏面部３６には、電極の接続端子４２が設けられている。本体部４における電源の給電部１４で発生供給される電解用の電気は、電気配線によりアーム部１８を経由し、アーム部１８から連結部２０を経由し、蓋部材８の接続端子４２に送られる。電解用に給電される電気配線は、第二の電極５２に送られる交流の電気配線、及び第一の電極５０用のグランド（接地電極）の電気配線等がある。第三の電極５４は、第一の電極５０を介して電気的に接地される。
給電部１４からは、第二の電極５２を形成する一対の各電極板５２ａ，５２ｂに対して、それぞれに交流の電気配線が行われる。
【００２６】
図２は、蓋部材８、及び蓋部材８の裏面部３６に取り付けられる各電極等の分解図である。電極部材１０としては、棒状の第一の電極５０、網目が形成された一対の電極板５２ａ，５２ｂからなる第二の電極５２、及び網目が形成された筒状の第三の電極５４を有する。また、第一の電極５０の周囲を被い、第一の電極５０に着脱自在に嵌装される導電性のある円筒状等のパイプ電極材５６を有する。このパイプ電極材５６は、第一の電極５０と互いに電気的に接触し電気的に導通している。
【００２７】
これら第一、第二、及び第三の各電極、及びパイプ電極材５６の材料は、チタン、ステンレス、マグネシウム、アルミニウム等が用いられ、各材料の表面に白金等のメッキを施すのも有効である。ここでは、第二の電極５２の材料は、チタン材に白金メッキを施したものを使用している。白金メッキにより、電極として良好な電気的特性が維持される。また、第一の電極５０、パイプ電極材５６及び第三の電極５４は何れもステンレス材を用い、電極の耐久性を高めている。
【００２８】
第一の電極５０は、棒状であり、断面円形状等の電極部６０の上端部には電極端子６２が形成され、電極部６０の下端部にはネジ溝が形成されたネジ部６４が突出している。
パイプ電極材５６は、円筒状のパイプ材からなる。パイプ電極材５６の長さは、第一の電極５０の電極部６０の長さと同じ（同程度）で、電極部６０はパイプ電極材５６によって完全に覆われる形状である。このため、実質的に、電気分解は第一の電極５０に替えてパイプ電極材５６によって行われることになる。これにより、シリカ等のスケールが第一の電極５０に付着することが防止でき、メンテナンスは、スケールが付着するパイプ電極材５６について行えばよいことになる。
【００２９】
第二の電極５２は、一対の板状の電極板５２ａ，５２ｂからなる。これら電極板５２ａ，５２ｂは、網目が形成された長方形（縦に長い）の板状である。また各電極板５２ａ，５２ｂの上部の中央部には、それぞれ上方に突出した電極端子６６が形成されている。電極板５２ａ，５２ｂを網目状に形成したのは、表面積を大きくし又表裏の両側で化学反応を生じさせ、電気分解の効果を高めるためである。
第二の電極５２の各電極板５２ａ，５２ｂの配置は、それぞれ第一の電極５０の近傍であって、かつ第一の電極５０の中心対称位置に配置される。これにより、棒状の第一の電極５０に対して、各電極同士のバランスがとれ電気分解も安定して行われる。
【００３０】
第三の電極５４は、筒部７０と底面部７２からなる有底筒状の形状であり、材料はステンレス製で縦横の網目が形成された網材が用いられている。第三の電極５４の筒部７０は、円筒形状であり、筒部７０の上下部の各周囲には、それぞれ上カバー材７１、下カバー材７３が取り付けられている。筒部７０の中間部には、補強用の環状線材７５が取り付けられている。また、底面部７２は、筒部７０と同様の網目が形成された平坦な形状であり、その中央部には挿通孔部７４が設けられたリング材７６が取り付けられている。
【００３１】
第三の電極５４は、第一及び第二の電極等の周囲を被う大きさの筒状に形成され、上下（筒の中心線）の長さは、第一の電極５０の長さと同程度である。
第三の電極５４を、筒状とし全体を網目状に形成したのは、この電極の表面積を大きくし、筒状の表裏の両側で化学反応を生じさせ、電気分解の効果を高めるためである。
【００３２】
電極として、第一の電極５０は、接地（グランド）電極である。第二の電極５２として一対の電極板５２ａ，５２ｂには、それぞれ交流電圧等が印加される。また、第三の電極５４は、第一の電極５０と同様の接地（グランド）電極である。
第一の電極５０とパイプ電極材５６との間は、両者が挿通可能な程度で、隙間は殆んど無い状態である。パイプ電極材５６は導電性があり、第一の電極５０に嵌装（被篏）されていることから、第一の電極５０との間は接触により電気的に導通している。このため、パイプ電極材５６は第一の電極５０と電気的に一体であり、また電気的作用も同様である。
【００３３】
表面的には、パイプ電極材５６は第一の電極５０とは電気的には一体化され、電極として機能するのはパイプ電極材５６である。このため、第一の電極５０に係る電気的作用は、実質的にはパイプ電極材５６によって行われ、またスケール（シリカ等）もパイプ電極材５６に付着し、第一の電極５０にはスケールは付着しない。
蓋部材８には、第一の電極５０及び第二の電極５２の上部が固定（着脱不可）され、またパイプ電極材５６及び第三の電極５４が着脱可能に保持される。
【００３４】
また、ここでは、電極部材１０の各電極の面積（表面積）の関係を次のように規定している。
（パイプ電極材５６（第一の電極５０）の面積＜第二の電極５２（電極板５２ａ及び電極板５２ｂ）の面積＜第三の電極５４の面積）
なお、第一の電極５０の直径は６ｍｍ程度、パイプ電極材５６の外径は８ｍｍ程度であり、また、第三の電極５４の筒部７０は直径７０ｍｍ程度である。また、電極が網材の場合、網を形成する線材の表面積が、電極の面積に該当する。
【００３５】
このように、第三の電極５４は、その電極の面積（表面積）を他の電極の面積と比べて大きくしている。社内試験によれば、第三の電極５４の面積を大きく設定することで、電気分解後の水中の遊離塩素の量が大幅に低減することが確認されている。
第二の電極５２の各電極板５２ａ，５２ｂ同士は平行に配置されており、またパイプ電極材５６と第二の電極５２（電極板５２ａ，５２ｂ）との間の最短距離は数ｍｍ程度である。
【００３６】
蓋部材８の裏面部３６の接続端子４２には、第一の電極５０の電極端子６２が溶接、半田等により接続され、また、第二の電極５２の各電極板５２ａ，５２ｂの電極端子６６が同様に溶接、半田等により接続されている。このため、第一の電極５０及び第二の電極５２の各電極端子は、それぞれ蓋部材８の接続端子４２に固く固定されており、容易には外せない。
【００３７】
電極部材１０による水の電気分解では、交流電極として第二の電極５２の一対の電極板５２ａ，５２ｂ、及び接地電極として、第一の電極５０及び第三の電極５４を、それぞれ電解槽６の水中に沈め、電極板５２ａ，５２ｂにそれぞれ交流電流を通電して電圧を印加し、高周波交流等により電気分解処理を行う。
【００３８】
図３は、電極保持具８４を示すものである。この電極保持具８４は、各電極の下部側を支え保持する。電極保持具８４は、第二の電極の保持部８６、パイプ電極材５６の支持部８８、及び合金板ケース８２のケース保持部９０を有している。保持部８６の一部には、第二の電極５２とパイプ電極材５６との間に介在する分離板８７が形成されている。また電極保持具８４の中央部には、上下に貫通する貫通孔部９２が形成されている。
【００３９】
また、ここでは、マグネシウム合金材として、マグネシウムと亜鉛の合金板８０を合金板ケース８２に納め、これを電極保持具８４に保持させている。この合金板ケース８２は、合金板８０の周囲を被う矩形状の容器で、表裏部には窓が開けられている。合金板８０により、電解槽６の水中にミネラルが豊富に含有される。
【００４０】
本体部４における給電部１４は、電解用電源として高周波交流等を発生させ給電する。この給電部１４では、交流の発振周波数約５?１００ＫＨｚ（例えば３０ｋＨｚ）を中心に、変動幅・３?５ＫＨｚのＦＭ変調を加えている。さらに、ランダム信号発生器を内蔵した回路により、ゆるやかな上下周波数変動中に急激に周波数上昇又は下降の変化する部分を発生させ、これにより電界干渉を発生させ衝撃波を作っている。
【００４１】
給電部１４における電源回路では、電源スイッチのオンにより、電気回路が動作してランダム信号に対応した制御信号が高周波発振回路に送出され、これにより発振周波数が制御されてランダムに変化する。そして、高周波切換指令回路にランダムな高周波信号が与えられると、この高周波切換指令回路から高周波の切換指令が出され、トランジスタ回路による高周波スイッチに与えられる。そして、一対の交流信号が高周波スイッチでＯＮ、ＯＦＦされ、ランダムに変化する高周波交流が発生する。
【００４２】
前記一対の交流信号が、電気配線を介して、それぞれ第二の電極５２の各電極板５２ａ，５２ｂに印加され、また第一の電極５０と第三の電極５４は接地状態に設定される。前記高周波交流、変調波及び衝撃波による交流電気を印加した電気分解により、発生する水素量を多くするとともに、ナノバブルまで小さくした水素及び酸素の各粒子を発生させることができる。
【００４３】
ここで、水素水生成装置２におけるパイプ電極材５６等の着脱方法について説明する。先ず、パイプ電極材５６、第三の電極５４等の装着方法について説明する。
図４は、蓋部材８を開いた状態であり、この蓋部材８には第一の電極５０及び第二の電極５２のみが取り付けられ、パイプ電極材５６及び第三の電極５４等は装着されていない形態を示している。この形態は、例えば、前記パイプ電極材５６及び第三の電極５４等を脱着して、スケール（シリカ等）の除去等の掃除（メンテナンス）を行っている場合等の状態である。
【００４４】
この場合、蓋部材８の裏面部３６には、第一の電極５０及び第二の電極５２が固定されており、これらを利用してパイプ電極材５６及び第三の電極５４等を装着する。
最初に、第一の電極５０の端部（図中左端）からパイプ電極材５６を嵌める。そして、これらの端部に電極保持具８４を配置する。電極保持具８４は、その貫通孔部９２をパイプ電極材５６に嵌め、同時に、第二の電極の各電極板５２ａ，５２ｂの端部（図中左端）を電極保持具８４の保持部８６に篏合させる。
この電極保持具８４により、第二の電極５２の端部（下部）が保持され、また分離板８７の介在により、パイプ電極材５６と第二の電極５２とが正確に隔離される。
【００４５】
次に、筒状の第三の電極５４を取り付ける。この場合、第三の電極５４の内部に、第一及び第二の電極５０，５２、パイプ電極材５６及び電極保持具８４等を収納し、これら電極等の周囲を被う状態に備え付ける。そして、第三の電極５４の筒部７０の上カバー材７１を、蓋部材８の裏面部３６に押し当てて保持させ、その底面部７２の挿通孔部７４から第一の電極５０のネジ部６４を突出させる。
【００４６】
この状態で、第三の電極５４の上部は蓋部材８の裏面部３６に保持され、また第三の電極５４の底面部７２は、パイプ電極材５６の端部（図中左端）及び電極保持具８４の底部を保持する形態となる。
また、パイプ電極材５６の下端部は、第三の電極５４と接触しており、またパイプ電極材５６は第一の電極５０と接触していることから、第一の電極５０の接地状態は、そのまま第三の電極５４の接地状態となり、電気的に導通し一体化する。
【００４７】
そして、第三の電極５４の底面部７２の挿通孔部７４から突出した、第一の電極５０のネジ部６４にナット部材９４を締め付けて螺着する。このナット部材９４は、外周が円形状であり、周囲は滑り止め用の凹凸部が形成されている。このため、ナット部材９４は手作業により、簡単にネジ部６４に締め付け或いは緩めて取り外すことができる。
止着具としてナット部材９４を用いる方法以外に、第一の電極５０の下端部に孔部を設けピン等の止着具で固定する方法、同下端部に凹部を設け、ここにバネ材等の弾性体を止着し固定する方法もある。
また、合金板８０を納めた合金板ケース８２は、電極保持具８４のケース保持部９０にその一端部を差し込んで保持固定する。
【００４８】
図５に示すように、第一の電極５０のネジ部６４にナット部材９４を螺着し固定することで、パイプ電極材５６及び第三の電極５４等が保持され、これらが第一の電極５０に固定される形態となる。第二の電極５２においても、電極保持具８４を介して他の電極を保持する状態となる。
また、パイプ電極材５６は、その上部が蓋部材８の裏面部３６に、また下部が第三の電極５４の底面部７２にそれぞれ保持され、第一の電極５０に嵌めた状態で保持固定される。
【００４９】
そして、ナット部材９４を、第一の電極５０のネジ部６４にねじ込むことで、これが第三の電極５４の底面部７２に接触し、第三の電極５４と第一の電極５０とは導通状態となり、両電極は接地（グランド）された状態となる。
また、電極保持具８４は、その貫通孔部９２に第一の電極５０（及びパイプ電極材５６）が貫通した状態で配置されており、第二の電極５２等を保持した状態で、第三の電極５４の底面部７２に配置される。
【００５０】
次に、パイプ電極材５６、第三の電極５４等を外して掃除等のメンテナンスを行う場合に、これらパイプ電極材５６等を脱着（取り外し）する方法について説明する。
この脱着に際しては、パイプ電極材５６及び第三の電極５４等を固定しているナット部材９４を、第一の電極５０のネジ部６４から緩めて取り外す。これにより、第三の電極５４及び電極保持具８４が取り外せ、同時に第一の電極５０からパイプ電極材５６を引き抜いて外すことができる。また、合金板ケース８２は電極保持具８４から抜き取る。
【００５１】
このように、止着具としてのナット部材９４を外すのみで、簡単にパイプ電極材５６、第三の電極５４等を取り外すことができる。そして、パイプ電極材５６に付着したスケール等の異物を除去し、また必要により第三の電極５４の掃除等を行う。また、合金板ケース８２内の合金板８０の交換等を行う。
【００５２】
水素水生成装置２の制御部１２は、電源スイッチのＯＮ及びＯＦＦの制御、ランプ等の点灯、消灯、及びタイマーの管理等を行う。タイマーはここでは、６０分、９０分、及び１２０分のタイマーを設けている。また制御部１２は、他に、通電時に水素水生成装置２の蓋部材８を開いて電極等が水中から引き上げられた場合、あるいは電極同士が接触（ショート）した場合等には、自動的に通電が停止するよう制御している。
【００５３】
ここで、水素水生成装置２の一連の動作、及び使用方法について説明する。この装置の稼働は、全ての電極部材１０等を装着した状態で行われる。
はじめに、蓋部材８を開けて開状態にし、本体部４の台部１６から電解槽６を取り出す。そして、電解槽６に水道水等の水を注ぎ、約５リットルの水を充填する。電解槽６の内部には、この５リットルの水量の位置に印が設けてある。この水量に制限はないが、水量が多いほうが電気分解の効率が良い。そして、電解槽６を取っ手２６で持ち、再度電解槽６を本体部４の台部１６に載置し、蓋部材８を閉じて電極部材１０等を電解槽６の水中に配置する。
【００５４】
図６は水素水生成装置２の外観を示す図である。装置の稼働に際しては、電気分解の時間（還元時間）を指定するため、タイマーをセットする。ここでのタイマーは、例えば６０分、９０分、或いは１２０分としている。タイマーは、還元時間のスイッチ１００の押下の毎に前記時間に該当するランプ１０２が点灯し、該当時間のランプの状態で止める。タイマーの時間は、長いほど水中に包含される水素量（ナノバブルの状態）が増大する。
装置の稼働開始のスタート（ストップ）スイッチ１０４を押下すると、還元ランプ１０６が緑色に点灯し、電気分解が開始される。途中で、電気分解を停止させたい場合にはスタート（ストップ）スイッチ１０４を再度押下する。このとき、停止ランプ１０８が点灯する。
【００５５】
タイムアウトにより装置の稼働が終了すると、還元ランプ１０６が赤色に点灯する。水素水（ナノバブル水素水）は、電解槽６に取り付けたコック２７を開いてコップ等に移し、飲用等に供することができる。
さて、前記水素水生成装置を用いて水を電気分解した場合、その使用が長時間に及ぶと電極、特に接地電極としてパイプ電極材５６等にスケール（シリカ等）が付着し、電極に係る電流値が低下し、処理効率が悪化する。このため、パイプ電極材５６等におけるスケール除去などのメンテナンスを行う。また、蓋部材８に固定された第一の電極５０にはスケールが付着しないため、実質的に第一の電極５０はメンテナンスの必要はない。
第三の電極５４についても、スケールが多少付着する場合があり、この場合も同様のメンテナンスを行う。メンテナンスは、装置の使用時間にもよるが、スケール（不純物）の付着の程度により、１〜３か月に一度程度、適宜行う。
【００５６】
メンテナンスでは、先ず蓋部材８を開けて開状態を保持する。そして、第三の電極５４の底面部７２の下部に螺着により取り付けられたナット部材９４を緩め、これを取り外す。これにより、第三の電極５４及び電極保持具８４はそのまま簡単に外れ、また第一の電極５０に嵌めたパイプ電極材５６も、引き抜けば簡単に外れる。
【００５７】
そして、ブラシ、洗剤材等を用いて、パイプ電極材５６に付着したスケール（シリカ等）を除去し掃除する。この場合、パイプ電極材５６を別の新たなパイプ電極材５６と交換しても良い。併せて、第三の電極５４の筒部７０、底面部７２等についても、スケール等の付着があればこれを除去する。
このように、パイプ電極材５６、第三の電極５４等は簡単に取り外せることから、掃除等は容易で作業性にも寄与する。また、他の第二の電極５２、第一の電極５０等についても、必要により掃除を行う。この場合も、これら電極の掃除は、他のパイプ電極材５６及び第三の電極５４を取り外していることから邪魔がなく、作業がはかどる。
【００５８】
上記水素水生成装置２で生成した水溶液（水素水）に関し、その粒子濃度及び気泡（バブル）の粒子径に関して、外部機関に委託して測定を行った。
その結果、この装置で水道水を２時間程度、電気分解により還元した場合、約３億個〜８億個のナノバブルを測定した。尚、この測定値は、原水にもナノサイズの物質が含まれていることから、このナノサイズの物質数を差し引いた数値である。
また、前記粒子（気泡）内の物質については、具体的な測定を行っていないが、多くの水素ガスが含有されているものと推測され、このため水素水生成装置２により、ナノサイズの気泡（ナノバブル水素水）が大量に生成されていると考えられる。
【００５９】
なお、水の電気分解の際には、陽極から酸素ガスが発生して酸素水が一部生成されるが、酸素水についても一定の効果が確認されており、水素水と同様に飲料可能である。
また、この水素水生成装置２は、水道水等を用いた場合であっても塩素の発生量が少ないことが確認されている。社内試験によれば、この水素水生成装置２は、同等他社の水素水生成装置と比べて、遊離塩素（ｍｇ／Ｌ）の量が半分程度であった。この遊離塩素の量が減少するのは、特に第三の電極５４を筒状の網体で構成し、その表面積を広くしたことによるものと推測している。
【００６０】
従って、前記実施の形態によれば、簡単な構成で、電極部材、特にメンテナンスの必要なパイプ電極材及び第三の電極の着脱が容易に行えて、電極における汚れの除去等の掃除も簡単に行えて保守性が改善され、併せて管理も容易となり、また電極の電気伝導特性も良好な状態が維持され電気分解にも寄与するものとなり、このようにメンテナンス性が改善されたナノバブル水素水を生成する水素水生成装置が得られた。
【符号の説明】
【００６１】
２  水素水生成装置
４  本体部
６  電解槽
８  蓋部材
１０  電極部材
１４  給電部
５０  第一の電極
５２  第二の電極
５４  第三の電極
５６  パイプ電極材
６４  ネジ部
７２  底面部
７４  挿通孔部
８４  電極保持具
９４  止着具（ナット部材）
【要約】
【課題】  本発明は、水の電気分解により水素水を生成する水素水生成装置に関し、簡単な構成で電極の着脱が容易に行えて、電極の保守性に優れた水素水生成装置を提供することを課題とする。
【解決手段】  第二の電極５２の各電極材間に給電部１４から供給される交流を印加し、第一の電極５０及び第三の電極５４をそれぞれ接地電極とし、蓋部材８の裏面部に、第一の電極５０、第二の電極５２、パイプ電極材５６及び第三の電極５４を取り付け、蓋部材８を閉じた状態で、全ての電極部材１０を電解槽６内の水中に配置して水の電気分解を行い、蓋部材８の開操作により、電極部材１０を電解槽６から引き揚げ、この状態で本体部４に対して蓋部材８が保持され、パイプ電極材５６を第一の電極５０から脱着することが可能である構成とした。
【選択図】  図１【図１】
0006707241.tif 000002
【図２】
0006707241.tif 000003
【図３】
0006707241.tif 000004
【図４】
0006707241.tif 000005
【図５】
0006707241.tif 000006
【図６】
0006707241.tif 000007
【図７】
0006707241.tif 000008